(57)【要約】      （修正有）【課題】自動車のオーディオ・ビデオテレマティクススロットに隙間なく嵌め込まれ自動車の内部空間の一部を占領することがない嵌め込み式携帯電話ハンズフリーシステムを提供する。【解決手段】自動車のオーディオ・ビデオテレマティクススロットに取り付けられる嵌め込み式ハンズフリー装置と携帯電話とを含む。嵌め込み式ハンズフリー装置は、ケーシングと、携帯電話接続用インターフェースと、自動車接続用インターフェースとを有する。ケーシングは電話スロットを有する。携帯電話は、ケーシングの電話スロットに取り外し可能に取り付けられており、携帯電話接続用インターフェースに取り外し可能に噛み合わされた嵌め込み式ハンズフリー装置接続用インターフェースを有する。また、自動車の内部空間の一部を占領することがない。【選択図】図１
0003124252.tif 000002
【実用新案登録請求の範囲】
【請求項１】
自動車のオーディオ・ビデオテレマティクススロットに嵌め込まれる嵌め込み式携帯電話ハンズフリーシステムであって、
前記オーディオ・ビデオテレマティクススロットに嵌め込まれる前部を有するケーシングと、該ケーシングの前部に形成された電話スロットと、前記ケーシングに取り付けられたマイクと、前記ケーシングの前部に取り付けられたディスプレーと、前記ケーシングの前部に取り付けられた操作用インターフェースと、前記ケーシングに取り付けられ、前記マイクと前記ディスプレーと前記操作用インターフェースとに接続された制御回路と、前記電話スロットに取り付けられ、前記制御回路に接続された携帯電話接続用インターフェースと、前記ケーシングに取り付けられ、前記制御回路に接続され、前記自動車に接続される自動車接続用インターフェースとを有する嵌め込み式ハンズフリー装置と、
前記ケーシングの前記電話スロットに取り外し可能に取り付けられた携帯電話であって、前部と、後部と、底部と、前記携帯電話の内部に取り付けられた制御回路と、該制御回路に接続され、前記携帯電話接続用インターフェースに取り外し可能に噛み合わされた嵌め込み式ハンズフリー装置接続用インターフェースとを有する携帯電話とを含む、嵌め込み式携帯電話ハンズフリーシステム。
【請求項２】
前記ケーシングは、１７８ｍｍの幅と５０ｍｍの高さと１８０ｍｍの奥行きとを有する１ＤＩＮケーシングである、請求項１に記載の嵌め込み式携帯電話ハンズフリーシステム。
【請求項３】
前記ケーシングは、１７８ｍｍの幅と１００ｍｍの高さと１８０ｍｍの奥行きとを有する２ＤＩＮケーシングである、請求項１に記載の嵌め込み式携帯電話ハンズフリーシステム。
【考案の詳細な説明】
【技術分野】
【０００１】
本考案は、自動車のオーディオ・ビデオテレマティクススロットに隙間なく嵌め込まれ前記自動車の内部空間の一部を占領することがない自動車用の嵌め込み式携帯電話ハンズフリーシステムに関する。
【背景技術】
【０００２】
携帯電話は、一般的な通信装置であり、今日では幅広く使用されている。しかし、運転手は、常に手でハンドルを握っていなければならないため、運転中に殆ど携帯電話を使用することができない。また、いくつかの国の道路交通法では、交通事故を避けるために、運転手は携帯電話の使用を許されていない。
【０００３】
従来の自動車用の携帯電話ハンズフリー装置は、運転手が運転時に手を使わずに携帯電話を使用することができるように開発され、スピーカーとマイクと電話スロットとプラグ付きの電源コードとを有する。前記携帯電話ハンズフリー装置は自動車のダッシュボード上に置かれており、前記電源コードのプラグは充電のために前記ダッシュボードのライタースロットに差し込まれている。運転手は、携帯電話を前記電話スロットに入れ、前記携帯電話を持たなくても前記携帯電話ハンズフリー装置を通して他の人と話をすることができる。前記運転手の声は前記マイクを通して送信することができ、相手の声は前記スピーカーを通して放送することができる。しかし、前記ダッシュボード上の前記携帯電話ハンズフリー装置は、前記自動車の限られた内部空間の一部を占領し、露出させられた前記電源コードは、前記運転手が前記ダッシュボードのボタンやキーを操作するのに不都合を生じさせる。
【０００４】
従来の他の携帯電話ハンズフリー装置は、自動車と一体化されており、前記自動車に固定された電話を有する。しかし、前記電話は、前記自動車から取り外すことができず、携帯性がなく、携帯電話として使用することができない。
【考案の開示】
【考案が解決しようとする課題】
【０００５】
本考案は、前記した問題を改善する自動車用の嵌め込み式携帯電話ハンズフリーシステムを提供する。
【０００６】
本考案の目的は、自動車のオーディオ・ビデオテレマティクススロットに隙間なく嵌め込まれ前記自動車の内部空間の一部を占領することがない自動車用の嵌め込み式携帯電話ハンズフリーシステムを提供することである。
【課題を解決するための手段】
【０００７】
本考案に係る嵌め込み式携帯電話ハンズフリーシステムは、自動車のオーディオ・ビデオテレマティクススロットに取り付けられる嵌め込み式ハンズフリー装置と携帯電話とを含む。
【０００８】
前記嵌め込み式ハンズフリー装置は、ケーシングと、携帯電話接続用インターフェースと、自動車接続用インターフェースとを有する。前記ケーシングは電話スロットを有する。
【０００９】
前記携帯電話は、前記ケーシングの前記電話スロットに取り外し可能に取り付けられており、前記携帯電話接続用インターフェースに取り外し可能に噛み合わされた嵌め込み式ハンズフリー装置接続用インターフェースを有する。
【００１０】
本考案の他の目的、利点及び新規な特徴は、添付の図面に関しての以下の詳細な説明からより明らかになる。
【考案を実施するための最良の形態】
【００１１】
図１、２に示す、第１の実施例に係る嵌め込み式携帯電話ハンズフリーシステムは自動車に隙間なく嵌め込まれる。前記自動車は、ダッシュボードと、オーディオ・ビデオテレマティクススロットと、スピーカーとを有する。前記オーディオ・ビデオテレマティクススロットは、１７８ｍｍの幅と５０ｍｍの高さと１８０ｍｍの奥行きとを有する１ＤＩＮオーディオ・ビデオテレマティクススロット、１７８ｍｍの幅と１００ｍｍの高さと１８０ｍｍの奥行きとを有する２ＤＩＮオーディオ・ビデオテレマティクススロット又は特別注文のオーディオ・ビデオテレマティクススロットとすることができる。
【００１２】
嵌め込み式携帯電話ハンズフリーシステムは、嵌め込み式ハンズフリー装置１０と携帯電話２０とを含む。
【００１３】
嵌め込み式ハンズフリー装置１０は、ケーシング１１と、電話スロット１２と、マイク１４と、ディスプレー１８、操作用インターフェース１９と、制御回路１５と、携帯電話接続用インターフェース１３と、自動車接続用インターフェース１７とを有する。
【００１４】
ケーシング１１は、前記自動車の前記オーディオ・ビデオテレマティクススロットに嵌め込まれまた取り付けられ、１７８ｍｍの幅と５０ｍｍの高さと１８０ｍｍの奥行きとを有する１ＤＩＮケーシング、１７８ｍｍの幅と１００ｍｍの高さと１８０ｍｍの奥行きとを有する２ＤＩＮケーシング又は特別注文のケーシングとすることができる。ケーシング１１は前部と後部と有する。
【００１５】
電話スロット１２はケーシング１１の前部に形成されている。
【００１６】
マイク１４及びディスプレー１８はケーシング１１の前部に取り付けられている。
【００１７】
操作用インターフェース１９は、ケーシング１１の前部に取り付けられており、ボタンとノブとキーとを備えることができる。
【００１８】
制御回路１５は、ケーシング１１の内部に取り付けられており、マイク１４とディスプレー１８と操作用インターフェース１９とに接続されている。
【００１９】
携帯電話接続用インターフェース１３は、電話スロット１２に取り付けられており、制御回路１５に接続されており、複数の信号受信用端子１３１と複数の信号送信用端子１３３とを有する。
【００２０】
自動車接続用インターフェース１７は、ケーシング１１の後部に取り付けられており、使用者が嵌め込み式ハンズフリー装置１０を通して前記自動車の前記スピーカーを操作できるように、制御回路１５と前記自動車とに接続されている。
【００２１】
携帯電話２０は、ケーシング１１の電話スロット２０に取り外し可能に取り付けられており、前部と、後部と、底部と、ディスプレー２８と操作用インターフェース２９と、制御回路２５と、嵌め込み式ハンズフリー装置接続用インターフェース２３とを有する。
【００２２】
ディスプレー２８は携帯電話２０の前部に取り付けられている。
【００２３】
操作用インターフェース２９は、携帯電話２０の前部に取り付けられており、ボタンとノブとキーとを備えることができる。
【００２４】
制御回路２５は、携帯電話２０の内部に取り付けられており、ディスプレー２８と操作用インターフェース２９とに接続されている。
【００２５】
嵌め込み式ハンズフリー装置接続用インターフェース２３は、携帯電話２０の底部に取り付けられており、携帯電話２０の制御回路２５に接続されており、携帯電話接続用インターフェース１３に取り外し可能に噛み合わされ、携帯電話接続用インターフェース１３の信号受信用端子１３１に対応する複数の信号送信用端子２３３と、携帯電話接続用インターフェース１３の信号送信用端子１３３に対応する複数の信号受信用端子２３１とを有する。嵌め込み式ハンズフリー装置接続用インターフェース２３と携帯電話接続用インターフェース１３との接続により、携帯電話２０は、前記自動車の前記スピーカーを通して音声を出し、嵌め込み式ハンズフリー装置１０のマイク１４を通して使用者の音声を受け取ることができる。これにより、前記使用者は手で携帯電話２０を持つことなく他の人と話をすることができる。さらに、前記使用者は、嵌め込み式ハンズフリー装置１０のディスプレー１８を見ることによりすぐに情報を得ることができ、また嵌め込み式ハンズフリー装置１０の操作用インターフェース１９を操作することにより携帯電話２０を制御することができる。
【００２６】
図３、４に示すように、嵌め込み式携帯電話ハンズフリーシステムの第２実施例は、第１実施例と類似しており、トレー１２１を備えた、嵌め込み式ハンズフリー装置１０ｂの電話スロット１２ｂを有する。トレー１２１は、電話スロット１２ｂに回転可能に取り付けられており、頂部を有し、該頂部上に携帯電話２０ｂを保持する。携帯電話接続用インターフェース１３ｂはトレー１２１の頂部に取り付けられており、嵌め込み式ハンズフリー装置接続用インターフェース２３ｂは携帯電話２０ｂの後部に取り付けられている。
【００２７】
図５に示すように、嵌め込み式携帯電話ハンズフリーシステムの第３実施例は、第２実施例と類似しており、カバー１２３を備えた、嵌め込み式ハンズフリー装置１０ｄの電話スロット１２ｄを有する。カバー１２３は、電話スロット１２ｄに回転可能に取り付けられており、電話スロット１２ｄを覆い、内面と台座１２３１とを有する。台座１２３１は、前記内面から延び、携帯電話２０ｂを保持する。携帯電話接続用インターフェース１３ｄは前記内面に取り付けられている。
【００２８】
図６に示すように、嵌め込み式携帯電話ハンズフリーシステムの第４実施例では、携帯電話接続用インターフェース１３ｅは嵌め込み式ハンズフリー装置１０ｅのカバー１２４の台座１２４１に取り付けられており、嵌め込み式ハンズフリー装置接続用インターフェース２３ｂは携帯電話２０の底部に取り付けられている。
【００２９】
図７，８に示すように、嵌め込み式携帯電話ハンズフリーシステムの第５実施例は、第１実施例と類似しており、トレー１２５を備えた、嵌め込み式ハンズフリー装置１０ｆの電話スロット１２ｆを有する。トレー１２５は、電話スロット１２ｆに摺動可能に取り付けられており、頂部を有し、該頂部上に携帯電話２０を保持する。携帯電話接続用インターフェース１３ｆは、２つの端部を有する接続ケーブルを備える。一方の端部は電話スロット１２ｆに固定されており、他方の端部は、固定されていない端部であり、携帯電話接続用インターフェース１３の信号送信用端子１３１及び信号受信用端子１３３が取り付けられている。
【００３０】
嵌め込み式携帯電話ハンズフリーシステムにより、自動車の運転手は携帯電話を手で持つことなく前記携帯電話を使用することができる。前記運転手は、前記自動車を離れるとき、前記携帯電話を単独で持ち運びまた使用することができる。また、オーディオ・ビデオテレマティクススロット内にある嵌め込み式ハンズフリー装置１０は前記自動車の内部空間の一部を占領することがない。このため前記運転手は前記自動車の内部空間を最大限に使用することができる。
【図面の簡単な説明】
【００３１】
【図１】本考案の第１実施例に係る、１ＤＩＮケーシングを備えた嵌め込み式ハンズフリー装置を有する嵌め込み式携帯電話ハンズフリーシステムの分解斜視図。
【図２】本考案の第１実施例に係る、２ＤＩＮケーシングを備えた嵌め込み式ハンズフリー装置を有する嵌め込み式携帯電話ハンズフリーシステムの分解斜視図。
【図３】本考案の第２実施例に係る嵌め込み式携帯電話ハンズフリーシステムの斜視図。
【図４】電話スロットから回転するトレーを備えた図３の嵌め込み式携帯電話ハンズフリーシステムの使用時の平面図。
【図５】本考案の第３実施例に係る嵌め込み式携帯電話ハンズフリーシステムの側面図。
【図６】本考案の第４実施例に係る嵌め込み式携帯電話ハンズフリーシステムの側面図。
【図７】本考案の第５実施例に係る嵌め込み式携帯電話ハンズフリーシステムの斜視図。
【図８】図７の嵌め込み式携帯電話ハンズフリーシステムの側面図。
【符号の説明】
【００３２】
１０    嵌め込み式ハンズフリー装置
１１    ケーシング
１２    電話スロット
１３    携帯電話接続用インターフェース
１４    マイク
１５    嵌め込み式ハンズフリー装置の制御回路
１７    自動車接続用インターフェース
１８    ディスプレー
１９    操作用インターフェース
２０    携帯電話
２３    嵌め込み式ハンズフリー装置接続用インターフェース
２５    携帯電話の制御回路
【図１】
0003124252.tif 000003
【図２】
0003124252.tif 000004
【図３】
0003124252.tif 000005
【図４】
0003124252.tif 000006
【図５】
0003124252.tif 000007
【図６】
0003124252.tif 000008
【図７】
0003124252.tif 000009
【図８】
0003124252.tif 000010